(57)【特許請求の範囲】
【請求項１】
遊技機の制御をなす制御素子等を搭載の制御基板をカバー体を介して収納する制御基板ケースであって、
前記カバー体１０に、制御素子の側面を側板１８ｂで、上面を底板１８ａで囲う突出体１８を設け、
前記底板１８ａと制御素子３との間、及び前記側板１８ｂと制御素子３との間に隙間を設け、
前記突出体１８の側板と底板に接合する補強リブ２０を合成樹脂により一体成形することを特徴とする遊技機の制御基板ケース。
【請求項２】
前記突出体１８の側板１８ｂとカバー体１０にかけて補強リブ２０Ａを一体成形することを特徴とする請求項１の遊技機の制御基板ケース。
【発明の詳細な説明】
【０００１】
【発明の属する技術分野】
本発明は、遊技機（パチンコ機等）に付設の制御基板に取付けの不正対象の制御素子に対して、不正行為を防止することができる制御基板ケースに関する。
【０００２】
【従来の技術】
従来の遊技機（パチンコ機等）に取付けの制御基板ケースについて図７を参照して説明する。尚、図７（Ａ）は一部切欠の斜視図、（Ｂ）は平面図、（Ｃ）はＧ〜Ｇ断面図、（Ｄ）は不正行為を説明する図、（Ｅ）は他の不正行為を説明する図である。
遊技内容を制御する制御素子等を配列の制御基板５２は、シャーシ５３に固定され、その上からカバー体５０で覆われ、そして遊技機の裏面に着脱自在に取り付けられる。
前記制御基板５２には、ＣＰＵ、ＲＯＭ（リードオンリーメモリ、記憶素子）等の制御素子が配置してあり、とりわけ制御ソフトが記録してあるＲＯＭ５４が重要な役割を果たす。
【０００３】
【発明が解決しようとする課題】
そこで、不正に異なるゲームにするためにＲＯＭ５４を取り替える不正行為が行われるので、その行為を防止するため、そのＲＯＭ５４の直上に突出体５５をカバー体５０に設けることを（図７）を、出願人は特願平８−２３７１９３号で提案した。
しかしながら、この突出体５５を輪郭Ｂにおいて切り取ると、ＲＯＭ５４の直上部の平板５５ａが取外しができ、ＲＯＭ５４の交換が可能になり、その後、その平板５５ａ（或いは他の平板）を接合することによって、外観から容易に不正が行われたことが判らない（図７（Ｄ））。
【０００４】
又、突出体５５を輪郭Ａにおいて切り取ると、突出体５５が取外され、ＲＯＭ５４の交換が可能になり、その後、この突出体５５（或いは他の突出体）を接合することによって、外観から容易に不正が行われたことが判らない不都合が生ずることが判った（図７（Ｅ））。
そこで、本発明は、かかる不正行為を防止できる制御基板ケースを提供するものである。
【０００５】
【課題を解決するための手段】
請求項１の制御基板ケースは、カバー体１０に制御素子の側面を側板１８ｂで、上面を底板１８ａで囲う突出体１８を設けてある。そして、突出体１８の底板１８ａと制御素子３との間、及び前記側板１８ｂと制御素子３との間に隙間が形成するようにしてある。又、突出体１８の側板１８ｂと底板１８ａに接合する補強リブ２０が合成樹脂により一体成形してある。
合成樹脂による一体成形された補強リブ２０によって、突出体１８の底板１８ａの境界線（従来の輪郭Ｂ）において簡便に切り取ることができないし、切り取ったときには、その痕跡が残るので、不正行為を見いだすことができるし、制御素子と側板及び底板との間の隙間によって制御素子の放熱効果を高める。
又、請求項２の制御基板ケースは、突出体１８の側板１８ｂとカバー体１０にかけて補強リブ２０Ａが合成樹脂によって一体成形してあるで、突出体１８の全体（従来の輪郭線Ａ）と、前記補強リブ２０とで底板１８ａの境界線（従来の輪郭Ｂ）においても簡便に切り取ることができないし、切り取ったときには、その痕跡が残るので、不正防止を図ることができる。
【０００６】
【発明の実施の形態】
遊技機としてパチンコ機を例にとって説明すると、パチンコ機は、遊技球が特定箇所に入賞すると、賞品球の払出しを行ったり、図柄表示器等を介して遊技者にとって有利な大当たり等を生起して多量の景品球を払い出す。
このような入賞球や賞品球の払出し等のゲームの制御を行うために、パチンコ機の裏面には、ＲＯＭやＲＡＭを内蔵のＣＰＵ等の制御素子３や、その他の部品を搭載の制御基板１２がビス等で固定して収納してある制御基板ケース１が取り付けてある。
【０００７】
図１は、よく知られたパチンコ機の裏面図であり、裏面中央には遊技盤の表側に配設の入賞口等に入賞した遊技球を集めて、入賞球処理装置６２に１球毎、分離処理させる入賞球集合樋６１が設けてある。
又、この入賞球集合樋６１の左下方には、前記制御基板１２を収納の制御基板ケース１が取り付けてある。
【０００８】
又、パチンコ機の上部には、排出前の遊技球を貯留しておく貯留タンク６３が設けてあり、その貯留タンク６３から遊技球を二列に整列させて遊技球排出装置６５まで誘導する整列樋６４が設置してある。この整列樋６４には、遊技球の重なりを防止する球ならし６６が揺動自在に垂設してある。
前記遊技球排出装置６５から排出の遊技球は、流下樋６７を経て上皿に流出する。
又、パチンコ機の上部右側にはターミナル基板６９が取り付けてあり、左下部には遊技球発射装置７０が設けてあって一球毎発射可能としている。
【０００９】
（第１の実施の形態）
図２（Ａ）は制御基板ケース１の一部切欠の斜視図、図２（Ｂ）はカバー体１０の裏面斜視図、図３（Ａ）は制御基板ケース１の平面図、図３（Ｂ）はＡ〜Ａ断面図、図３（Ｃ）はＢ〜Ｂ断面図である。
【００１０】
制御基板ケース１は、制御素子３等を取付の制御基板１２と、その制御基板１２をビス１３ａによって固定するシャーシ１３と、そのシャーシ１３を覆う箱状のカバー体１０とで構成してある。
又、カバー体１０は、内部が見るように透明の樹脂で箱状に形成してあり、その表面には放熱のために空気孔１１ａが多数穿設してあると共に、側部には前記シャーシ１３にビスで固定するビス孔１１ｂが形成してある。
【００１１】
又、前記カバー体１０の制御素子（取り替えて不正行為を行う対象素子）３に対応する箇所には、突出体１８が、前記カバー体１０に取り付けたとき、制御素子３に接触或いは僅かな隙間を形成する、長さ及び高さの底板１８ａを有する箱状に形成してある。
そして、この底板１８ａの上（突出体１８の内側）には、側板１８ｂと接合するクロス状の補強リブ２０が一体形成してある。
【００１２】
次に、前記構成の制御基板ケース１の不正防止について説明すると、
制御基板ケース１は、制御素子３等を取付の制御基板１２をビス１３ａでシャーシ１３に固定し、カバー体１０でそのシャーシ１３をネジ止めする。そして、カバー体１０とシャーシ１３にわたる側面に封印紙２２を貼着し、この封印紙２２を剥す等の行為をしない限り、カバー体１０が開けられない。
【００１３】
又、制御素子３は、カバー体１０に一体に形成の突出体１８の底板１８ａと接触状態あるいは僅かな隙間を有して存在し、この突出体１８の内側には底板１８ａと側板１８ｂに接合するクロス状の補強リブ２０が一体形成してある。
そのため、この突出体１８の底板１８ａの境界線（従来の輪郭Ｂ）をナイフ等で切り取ることは困難であると共に、切り取ったときにはその痕跡が残るので、制御素子３の取り替えが不可能となって不正行為を防止できる。
【００１４】
（第２の実施の形態）
本実施の形態は、制御基板ケース１の一部切欠の斜視図（図４（Ａ））、カバー体１０の裏面斜視図（図４（Ｂ））、制御基板ケース１の平面図（図５（Ａ））、Ｃ〜Ｃ断面図（図５（Ｂ））、Ｄ〜Ｄ断面図（図５（Ｃ））に示すように、前記第１の実施の形態に形成の補強リブ２０に、更に形成箇所と形状を異にする補強リブ２０Ａを形成するものである。
【００１５】
この補強リブ２０Ａは、突出体１８の外側において、即ち、側板１８ｂとカバー体１０にかけて３角形状に一体に形成してあるので、この補強リブ２０Ａによって、突出体１８の全体（従来の輪郭線Ａ）において切り取ることを防止することができる。
又、突出体１８の側板１８ｂは、制御基板１２に接触状態あるいは僅かな隙間を有する程度に延設してあるため、制御素子３の周囲は囲われているので、側部からの取替えを困難にする。
【００１６】
従って、補強リブ２０によって底板１８ａの境界線（従来の輪郭Ｂ）を、補強リブ２０Ａによって突出体１８を切り取ることが容易でないし、切り取った後には修復できない程度の痕跡が残るので、制御素子３の取り替えが不可能となって不正行為を防止できる。尚、これらの補強リブ２０、２０Ａの形状は、適宜選定することはいうまでもない。
【００１７】
（第３の実施の形態）
本実施の形態は、図６に示すように、前記第２の実施の形態とは、クロス状の補強リブ２０Ｂをカバー体１０に一体に形成し、突出体１８の底板１８ａを省略する形状である。
即ち、カバー体１０には、制御素子３の周囲を囲い、ほぼ制御基板１２に当接する側板１８ｂを介して突出体１８を一体形成し、カバー体１０の天蓋の裏面側にクロス状の補強リブ２０Ｂを一体に形成してあると共に、前記第２の実施の形態と同様に、突出体１８の外側において、即ち、側板１８ｂとカバー体１０にかけて３角形状に一体に補強リブ２０Ａが形成してある。
【００１８】
そのため、これらの補強リブ２０Ａ、２０Ｂによって、突出体１８（従来の輪郭Ａ、Ｂ）を切断することは容易ではないし、側板１８ｂによって、直接、制御素子３に触れて取り替えることはできないので、不正行為の防止になる。
【００１９】
尚、不正行為防止の突出体１８の形成において、制御素子３の発熱対策として、突出体１８の材質（金属か合成樹脂）を考慮して、突出体１８が制御素子３と接触させるか隙間を有するように形成するか、更には空気孔の形成の有用性を考慮することが望ましい。
【００２０】
例えば、突出体１８の材質が、合成樹脂等の熱伝導が悪い材質の場合には、底板１８ａは制御素子３との間に隙間を有するように形成することが望ましく、そして、底板１８ａ（及び又は側板１８ｂ）に空気孔を形成して放熱を行う。又、突出体１８の材質が、熱伝導の良い金属材料で作成の場合には接触して形成すると、放熱の関係で好ましいので、底板１８ａには空気孔を必ずしも形成する必要はない。
【００２１】
尚、制御素子３としてＲＯＭにおける引抜き防止を図っているが、その他の制御素子においても同様に対処することによって不正行為の防止を図ることができることはいうまでもない。
【００２２】
【発明の効果】
請求項１の制御基板ケースは、突出体１８の側板１８ｂと底板１８ａに接合する補強リブ２０が合成樹脂によって一体成形してあるので、突出体１８の底板１８ａの境界線（従来の輪郭Ｂ）において簡便に切り取ることができないし、切り取ったときには、その痕跡が残るので、不正行為を見いだすことができるし、制御素子と側板及び底板との間の隙間によって制御素子の放熱効果を高める。
又、請求項２の制御基板ケースは、突出体１８の側板１８ｂとカバー体１０にかけて補強リブ２０Ａが合成樹脂によって一体成形してあるで、突出体１８の全体（従来の輪郭線Ａ）と、前記補強リブ２０とで底板１８ａの境界線（従来の輪郭Ｂ）においても簡便に切り取ることができないし、切り取ったときには、その痕跡が残るので、不正防止を図ることができる。
【図面の簡単な説明】
【図１】遊技機（パチンコ機）の裏面図である。
【図２】（Ａ）は第１の実施の形態の制御基板ケースの一部切欠の斜視図、（Ｂ）はカバー体の裏面斜視図である。
【図３】（Ａ）は制御基板ケースの平面図、（Ｂ）はＡ〜Ａ断面図、（Ｃ）はＢ〜Ｂ断面図である。
【図４】（Ａ）は第２の実施の形態の制御基板ケースの一部切欠の斜視図、（Ｂ）はカバー体の裏面斜視図である。
【図５】（Ａ）は制御基板ケースの平面図、（Ｂ）はＣ〜Ｃ断面図、（Ｃ）はＤ〜Ｄ断面図である。
【図６】第３の実施の形態における、（Ａ）は制御基板ケースの平面図、（Ｂ）はＥ〜Ｅ断面図、（Ｃ）はＦ〜Ｆ断面図である。
【図７】（Ａ）は従来の制御基板ケースの一部切欠の斜視図、（Ｂ）は平面図、（Ｃ）はＧ〜Ｇ断面図、（Ｄ）は不正行為を説明する図、（Ｅ）は他の不正行為を説明する図である。
【符号の説明】
１  制御基板ケース
３  制御素子
１０  カバー体
１２  制御基板
１３  シャーシ
１８  突出体
１８ａ  底板
１８ｂ  側板
２０、２０Ａ、２０Ｂ  補強リブ
【図１】
0003665206.tif 000002
【図２】
0003665206.tif 000003
【図３】
0003665206.tif 000004
【図４】
0003665206.tif 000005
【図５】
0003665206.tif 000006
【図６】
0003665206.tif 000007
【図７】
0003665206.tif 000008